(57)【特許請求の範囲】
【請求項１】
コンクリートスラブに埋め込まれ天井面に開口されたボックスと、
該ボックス内に設けられた回転自在なリールと、
該ボックス内に設けられた支持部材と、
前記支持部材に支持されて前記ボックスの開口部に着脱自在に取り付けられ照明具を吊持する機器引掛部を有する閉蓋部材であると共に前記リールに巻装されそこから引き出される電気接続用の伸縮自在なケーブルの一端に接続されて前記支持部材から取り外されると前記開口部から天井面に沿って移動可能な引掛シーリングと、
前記引掛シーリングを前記ボックスの位置から前記天井面の他の位置に移動させる際に前記リールから引き出されたケーブルの届く範囲内おいて前記コンクリートスラブの天井面に適宜数個で埋設され当該引掛シーリングを天井面に取り付けることのできる引掛シーリング取付用アンカーとからなること、
を特徴とする引掛シーリングを移動可能に配置した直天井構造。
【請求項２】
リールは、ボックスに本体基部が固定された回転装置によって支持され、該回転装置は、前記リールを支持する支持部が回転子を介して前記本体基部に対して回転自在に設けられていること、
を特徴とする請求項１に記載の引掛シーリングを移動可能に配置した直天井構造。
【請求項３】
コンクリートスラブに埋め込まれ天井面に開口されたボックス内に設けられたリールから引き出される電気接続用のケーブルと、
該ケーブルに接続されるとともに前記ボックスの開口部を固定金具を介して着脱自在に取着して閉蓋する機器引掛部とからなること、
を特徴とする引掛シーリング。
【請求項４】
機器引掛部は、ボックスに立設された固定金具又はコンクリートスラブに埋設されたアンカーに着脱自在に取着される内側固定部と、ケーブルに接続され前記内側固定部に嵌合される外側接続部とからなること、
を特徴とする請求項３に記載の引掛シーリング。
【発明の詳細な説明】
【０００１】
【発明の属する技術分野】
本発明は、例えば、天井内配線と吊り下げ形照明器具等との接続に使用される引掛シーリング（引掛ローゼットともいう）を有する、マンション等のコンクリート構造物における直天井の構造とそれに用いられる引掛シーリングに関する。
【０００２】
【従来の技術】
従来、マンション等のコンクリート構造物における直天井において、照明器具を吊り下げるために、図９（Ａ）に示すように、引掛シーリングを居室の中央になるように、コンクリートスラブに埋め込まれるボックス６を配設している。
【０００３】
【発明が解決しようとする課題】
しかしながら、図９（Ｂ）に示すように、居住者の人数の増減や家族の成長に伴って、変更レイアウトの変更や間仕切りの変更を行うと、変更後の部屋におけるボックス６の位置としては、変更後の居室における中央位置からずれてしまうことがある。
【０００４】
その場合に、前記埋め込みのボックス６を移動させるには大工事となってコストが嵩むことになる。また、既存のボックスを生かして配線すると、直天井に露出した配線となってしまう。本発明に係る引掛シーリングを移動可能に配置した直天井構造と、引掛シーリングは、このような課題を解消するために提案されたものである。
【０００５】
【課題を解決するための手段】
本発明に係る引掛シーリングを移動可能に配置した直天井構造の上記課題を解決するための要旨は、コンクリートスラブに埋め込まれ天井面に開口されたボックスと、該ボックス内に設けられた回転自在なリールと、該ボックス内に設けられた支持部材と、前記支持部材に支持されて前記ボックスの開口部に着脱自在に取り付けられ照明具を吊持する機器引掛部を有する閉蓋部材であると共に前記リールに巻装されそこから引き出される電気接続用の伸縮自在なケーブルの一端に接続されて前記支持部材から取り外されると前記開口部から天井面に沿って移動可能な引掛シーリングと、前記引掛シーリングを前記ボックスの位置から前記天井面の他の位置に移動させる際に前記リールから引き出されたケーブルの届く範囲内おいて前記コンクリートスラブの天井面に適宜数個で埋設され当該引掛シーリングを天井面に取り付けることのできる引掛シーリング取付用アンカーとからなることである。
【０００６】
前記リールは、ボックスに本体基部が固定された回転装置によって支持され、該回転装置は、前記リールを支持する支持部が回転子を介して前記本体基部に対して回転自在に設けられていることを含むものである。
【０００７】
本発明に係る引掛シーリングの要旨は、コンクリートスラブに埋め込まれた天井面に開口されたボックス内に設けられたリールから引き出される電気接続用のケーブルと、該ケーブルに接続されるとともに前記ボックスの開口部を金具を介して着脱自在に取着して閉蓋する閉蓋部材とでなるものである。
【０００８】
前記閉蓋部材は、ボックスに立設された固定金具又はコンクリートスラブに埋設されたアンカーに着脱自在に取着される内側固定部と、ケーブルに接続され前記内側固定部に嵌合される外側接続部とからなることを含むものである。
【０００９】
本発明に係る引掛シーリングを移動可能に配置した直天井構造によれば、予めコンクリートスラブにアンカーを適宜位置に埋設しておくことで、室内のレイアウト変更の際に、引掛シーリングの取付位置を適宜に変更することができる。また、引掛シーリングの移動にも大きな工事、例えば、直天井にボックス用の孔を開けたりするようなことが避けられる。
【００１０】
本発明に係る引掛シーリングによれば、ケーブルをリールから引き出して、ある長さ（半径）の範囲内で、引掛シーリングを自由に移動させることができる。
【００１１】
【発明の実施の形態】
次に、本発明に係る引掛シーリングと引掛シーリングを移動可能に配置した直天井構造について図面を参照して説明する。
【００１２】
本発明に係る引掛シーリング１は、図１乃至図２に示すように、電気接続用のテープケーブル２と、該テープケーブル２に連結され中央部に空所が設けられた外側接続部３と、該外側接続部３の空所に嵌合され照明具を吊り下げる機器引掛部４ｃを有した内側固定部４とで概ね構成されている。
【００１３】
前記テープケーブル２は、後に直天井に這わせるので薄く平たくしてある。図３乃至図４に示すように、前記テープケーブル２からの電線は、外側接続部３の中央部の空所３ａに臨むように設けた金属製コンタクト３ｂに接続されている。また、この外側接続部３には、内側固定部４を嵌合させるための固定用溝部３ｃが、前記空所３ａに臨む縁部に設けられている。
【００１４】
前記固定用溝３ｃは、例えば、切り口から係止部を差し込んでそこから水平にある角度に回転させることで固定される構造である。前記コンタクト３ｂは、この固定用溝３ｃの固定位置に設けられて、内側固定部４のコンタクトと当接して、電気的接続がなされるように配設されている。
【００１５】
前記内側固定部４は、図５に示すように、前記外側接続部３の空所３ａに嵌合されるものであって、照明具等を引っかけて吊り下げるものである。該内側固定部４は、前記空所３ａと略同形状に形成され、電気的接続のために、外周部の所望位置にコンタクト４ａが設けられ、嵌合用のレール４ｂが円弧状に設けられている。このレール４ｂが、前記嵌合相手の固定用溝３ｃと対応する位置と大きさに形成されているのは勿論である。
【００１６】
前記内側固定部４の内周部には、照明具を引っかけて吊すための機器引掛部４ｃ，４ｃが対称位置にして設けられている。この機器引掛部４ｃの固定位置には、照明具の係止具兼用コンタクトに当接するコンタクト４ｄが配設されている。当該コンタクト４ｄと前記コンタクト４ａとがリード線４ｅで接続され、電気的に接続されている。
【００１７】
この内側固定部４の中心位置には、図５の紙面裏方向に突出されているボルト４ｆが設けられている。この内側固定部４が所定の位置に固定されて、そこに、外側接続部３が嵌合されるものである。
【００１８】
次に、本発明に係る直天井の構造について説明する。図６に示すように、コンクリートスラブ５に埋め込まれ一端側が天井面に開口されたボックス６がある。該ボックズ６は金属製の埋込みボックスであり、その中には、前記引掛シーリング１を着脱自在に支持する支持部材である固定用スティ６ａと、回転リール７とが配設されている。
【００１９】
前記固定用スティ６ａは、金属製で門形の取付板であり、前記内側固定部４を取り付けて固定するために設けられている。この固定用スティ６は、前記ボックス６の底面（図では上位置）にフランジ部６ｂを、例えば、溶接等の手段で固定して取付けられている。また、門形の中央部には、ネジ孔６ｃが設けられており、内側固定部４のボルト４ｆが螺着されるものである。
【００２０】
前記回転リール７は、図６乃至図７に示すように、テープケーブル２を巻装してボックス６の底面から鉛直に吊り下げられるものである。この回転リール７には、回転自在なドラム７ａがあり、そこに、テープケーブル２が巻装される。このドラム７ａを支持する支持腕部７ｂは、回転装置にその根本部が固定されて、立設されている。
【００２１】
前記回転装置は、ボックス６側に固定される本体基部と、前記支持腕部７ｂを含む支持部と、この間に介装される回転子７ｃとからなる。前記本体基部に対して支持部が略１８０度若しくは略３６０度回転できるものである。
【００２２】
また、前記回転子７ｃにおける基部には、コンクリートスラブ５内部に配線された電線８がコネクタ１２を介して接続されている。該コネクタ１２により、電気工事の資格を必要とせず、誰にでも容易に接続できる。更に、前記回転子７ｃ用の基部には、正極・負極用の円形金属端子板が設けられ、回転子７ｃ側に対応して設けられている正極・負極用の金属端子板と摺接して、その後、支持腕部７ｂに設けた電線を介してドラム７ａからテープケーブル２に電源が供給されるように、電気接続ルートが構成されている。
【００２３】
更に、コンクリートスラブ５の直天井９には、図８に示すように、内側に雌ねじが刻設された引掛シーリング取付用アンカー１０が、前記ボックス６の周囲に埋設されている。このアンカー１０は、前記ボックス６から約１ｍ〜１．５ｍ程度離れた位置に埋設される。また、予め、レイアウト変更されて、照明具が移動するであろう将来の取付位置に設けられるものである。よって、このアンカー１０は、ボックス６の周囲に、１個、２個、３個以上で、水平面内において任意の角度位置に設けられるものである。なお、引掛シーリング取付用アンカー１０には、使用しない場合のために、キャップを取り付けて蓋しておくものである。
【００２４】
このような、引掛シーリングを移動可能に配置した直天井構造であることにより、図９にて示したように、レイアウトの変更があった場合には、図６に示す状態から、まず、引掛シーリング１の外側接続具３を、内側固定部４から外す方向に回転させて取り外す。次に、内側固定部４を反時計方向にネジ回して、固定用スティ６ａから該内側固定部４を外す。
【００２５】
次に、図８に示すように、前記内側固定部４を、レイアウト変更後の照明具をつけるべき位置のアンカー１０に、ボルト４ｆを螺合させて締め込む方向に回転させて、固定する。そして、前記外側接続部３を前記ボックス６から引き出す。
【００２６】
この外側接続部３を前記アンカー１０の方向へ引き出すことで、回転リール７が回転子７ｃによってアンカー１０の方向へ適宜に回転し向き直り、ドラム７ａからドラム巻戻しの付勢力（鉄バネ等による）に抗してテープケーブル２が引き出される。
【００２７】
前記外側接続部３を、アンカー１０に螺装して固定された内側固定部４に、固定用溝３ｃにレール４ｂを差し込んで回転させることで、固定する。前記引きだされたテープケーブル２は、回転リール７のドラム７ａにおける巻き取り付勢力により、巻き戻されようとするので、弛むことなく直天井に這わせられ、外観上見栄えを悪くすることはない。また、テープケーブル２の色彩を直天井と略同じ色彩にしておけば、なおのこと当該ケーブル２が目立つことはない。
【００２８】
外側接続部３を内側固定部４に嵌合・固定したことで、電線８からの電源供給がなされて、内側固定部４のコンタクト４ｄまで電気的に接続される。また、引掛シーリング１を外した前記ボックス６には、その開口部に目隠しプレート１１を嵌合させて閉蓋しておくものである。
こうして、レイアウト変更後の居室等において、新たな位置に移動させた引掛シーリング１に、機器引掛部４ｃに照明具にける係止具兼用のコンタクトを差し込んで回転させることで、照明具を吊り下げるものである。
【００２９】
【発明の効果】
以上説明したように、本発明に係る引掛シーリングを移動可能に配置した直天井構造は、コンクリートスラブに埋め込まれ天井面に開口されたボックスと、該ボックス内に設けられた回転自在なリールと、該ボックス内に設けられた支持部材と、前記支持部材に支持されて前記ボックスの開口部に着脱自在に取り付けられ照明具を吊持する機器引掛部を有する閉蓋部材であると共に前記リールに巻装されそこから引き出される電気接続用の伸縮自在なケーブルの一端に接続されて前記支持部材から取り外されると前記開口部から天井面に沿って移動可能な引掛シーリングと、前記引掛シーリングを前記ボックスの位置から前記天井面の他の位置に移動させる際に前記リールから引き出されたケーブルの届く範囲内おいて前記コンクリートスラブの天井面に適宜数個で埋設され当該引掛シーリングを天井面に取り付けることのできる引掛シーリング取付用アンカーとからなるので、引掛シーリングを所要の範囲内で移動させることができて、レイアウトの変更等において、証明具の引掛シーリングを自由に対応させることができる。また、埋め込みボックスの移動を伴うことができないので大工事にならず、容易に引掛シーリングを移動させることができると言う優れた効果を奏するものである。
【００３０】
前記リールは、ボックスに本体基部が固定された回転装置によって支持され、該回転装置は、前記リールを支持する支持部が回転子を介して前記本体基部に対して回転自在に設けられているので、直天井の水平面内で自由にアンカーを設定することができると言う優れた効果を奏するものである。
【００３１】
本発明に係る引掛シーリングは、コンクリートスラブに埋め込まれ天井面に開口されたボックス内に設けられたリールから引き出される電気接続用のケーブルと、該ケーブルに接続されるとともに前記ボックスの開口部を固定金具を介して着脱自在に取着して閉蓋する機器引掛部とからなるので、引掛シーリングの移動が可能となると言う優れた効果を奏するものである。
また、前記機器引掛部は、ボックスに立設された固定金具又はコンクリートスラブに埋設されたアンカーに着脱自在に取着される内側固定部と、ケーブルに接続され前記内側固定部に嵌合される外側接続部とからなるので、直天井に予め取り付けようのアンカーを埋設しておくことで、機器引掛部を工具を使用せずに容易に移動させることができると言う優れた効果を奏するものである。
【図面の簡単な説明】
【図１】本発明に係る引掛シーリング１の平面図である。
【図２】同本発明に係る引掛シーリング１の概略構成を示す概略斜視図である。
【図３】同本発明に係る引掛シーリング１における、外側接続部３の平面図である。
【図４】同本発明に係る引掛シーリング１における、外側接続部３の一部正面図である。
【図５】同本発明に係る引掛シーリング１における、内側固定部４の平面図である。
【図６】同本発明に係る引掛シーリング１を移動可能に配置した直天井構造を示す一部断面図である。
【図７】図６におけるＡ−Ａ線に沿った断面図である。
【図８】同本発明に係る引掛シーリング１を移動可能に配置した直天井構造を示す断面図である。
【図９】コンクリート構造物において、居室等のレイアウトを変更する前後の説明図（Ａ）、（Ｂ）である。
【符号の説明】
１        引掛シーリング、        ２        テープケーブル、
３        外側接続部、            ３ａ      空所、
３ｂ      コンタクト、            ３ｃ      固定用溝、
４        内側固定部、            ４ａ      コンタクト、
４ｂ      レール、                ４ｃ      機器引掛部、
４ｄ      コンタクト、            ４ｅ      リード線、
４ｆ      ボルト、                ５        コンクリートスラブ、
６        ボックス、              ６ａ      固定用スティ、
６ｂ      フランジ部、            ６ｃ      ネジ孔、
７        回転リール、            ７ａ      ドラム、
７ｂ      支持腕部、              ７ｃ      回転子、
８        電線、                  ９        直天井、
１０      引掛シーリング取付用アンカー、
１１      目隠しプレート。        １２      コネクタ。
【図１】
0003749493.tif 000002
【図２】
0003749493.tif 000003
【図３】
0003749493.tif 000004
【図４】
0003749493.tif 000005
【図５】
0003749493.tif 000006
【図６】
0003749493.tif 000007
【図７】
0003749493.tif 000008
【図８】
0003749493.tif 000009
【図９】
0003749493.tif 000010